【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
無線充電受信装置であって、
受信コイルと、受信チップと、スイッチトキャパシタ変換チップと、を含み、
前記受信コイルは、無線充電送信装置の送信コイルの交番磁界にカップリングして交流電源を取得し、
前記受信チップは、入力端が前記受信コイルにカップリング接続され、出力端が前記スイッチトキャパシタ変換チップの入力端にカップリング接続されて、前記交流電源を第１の直流電源に変換し、
前記スイッチトキャパシタ変換チップは、出力端がバッテリにカップリング接続されて、前記第１の直流電源に基づいて第２の直流電源を出力し、前記第２の直流電源に基づいてバッテリを充電し、前記第２の直流電源の電圧は前記第１の直流電源の電圧より低く、前記第２の直流電源の電流は前記第１の直流電源の電流より高い、
ことを特徴とする無線充電受信装置。
【請求項２】
前記スイッチトキャパシタ変換チップは、１次スイッチトキャパシタ変換チップと２次スイッチトキャパシタ変換チップとを含み、
前記無線充電受信装置は、電源管理チップＰＭＩＣをさらに含み、
前記１次スイッチトキャパシタ変換チップは、入力端が前記受信チップにカップリング接続され、出力端が前記２次スイッチトキャパシタ変換チップの入力端と前記電源管理チップの入力端とにそれぞれカップリング接続され、前記２次スイッチトキャパシタ変換チップの出力端と前記電源管理チップの出力端とが、いずれも前記バッテリにカップリング接続され、
前記１次スイッチトキャパシタ変換チップは、前記第１の直流電源に基づいて第３の直流電源を出力し、前記第３の直流電源の電圧は前記第１の直流電源の電圧より低く、前記第３の直流電源の電流は前記第１の直流電源の電流より高く、
前記２次スイッチトキャパシタ変換チップは、前記第３の直流電源に基づいて第２の直流電源を出力し、前記第２の直流電源に基づいて第１の電流で前記バッテリを充電し、前記第２の直流電源の電圧は、前記第３の直流電源の電圧より低く、前記第２の直流電源の電流は、前記第３の直流電源の電流より高く、
前記電源管理チップは、前記第２の直流電源に基づいて第２の電流で前記バッテリを充電し、前記第２の電流は、前記第１の電流より小さい、
ことを特徴とする請求項１に記載の無線充電受信装置。
【請求項３】
前記スイッチトキャパシタ変換チップは、さらに、通路電流を検出し、前記通路電流が電流閾値と第１の電流オフセット量との合計以上である場合、前記スイッチトキャパシタ変換チップを電流制限モードに入るように制御し、前記第１の電流オフセット量は、ゼロ以上であり、且つ前記電流閾値より小さい、
ことを特徴とする請求項１または２に記載の無線充電受信装置。
【請求項４】
前記スイッチトキャパシタ変換チップが、前記スイッチトキャパシタ変換チップを電流制限モードに入るように制御することは、具体的に、
スイッチトキャパシタ変換チップの内部スイッチングトランジスタのオン抵抗を大きくすることと、スイッチトキャパシタ変換チップにおいて充電キャパシタを充電する内部スイッチングトランジスタをオフにすることと、充電キャパシタをスイッチトキャパシタ変換チップの出力端に並列接続して放電することと、スイッチトキャパシタ変換チップにおける充電キャパシタの充電時間を短縮することとのうちの少なくとも１つを含む、
ことを特徴とする請求項３に記載の無線充電受信装置。
【請求項５】
前記スイッチトキャパシタ変換チップは、さらに、前記通路電流が前記電流閾値と第２の電流オフセット量との差より小さい場合、前記スイッチトキャパシタ変換チップを電流制限モードを終了するように制御し、前記第２の電流オフセット量は、ゼロ以上であり、且つ前記電流閾値より小さい、
ことを特徴とする請求項３に記載の無線充電受信装置。
【請求項６】
前記通路電流は、前記スイッチトキャパシタ変換チップの入力電流と、前記スイッチトキャパシタ変換チップの出力電流と、前記スイッチトキャパシタ変換チップにおける内部スイッチングトランジスタに流れる電流とのうちのいずれか１つを含む、
ことを特徴とする請求項３に記載の無線充電受信装置。
【請求項７】
前記スイッチトキャパシタ変換チップは、さらに、端末のプロセッサの第１の制御命令に従って前記電流閾値を調整する、
ことを特徴とする請求項３に記載の無線充電受信装置。
【請求項８】
前記スイッチトキャパシタ変換チップは、さらに、前記プロセッサの第２の制御命令に従ってオン状態にある、
ことを特徴とする請求項７に記載の無線充電受信装置。
【請求項９】
請求項１〜８のいずれかに記載の無線充電受信装置を含む、
ことを特徴とする端末。
【請求項１０】
前記端末は、プロセッサをさらに含み、
前記スイッチトキャパシタ変換チップは、さらに、通路電流を検出し、前記通路電流が電流閾値と第１の電流オフセット量との合計以上である場合、前記スイッチトキャパシタ変換チップを電流制限モードに入るように制御し、前記第１の電流オフセット量は、ゼロ以上であり、且つ前記電流閾値より小さく、
前記プロセッサは、現在の所望の通路電流に基づいて、前記電流閾値を調整するための第１の制御命令を出力し、
前記スイッチトキャパシタ変換チップは、さらに、前記第１の制御命令に従って前記電流閾値を調整する、
ことを特徴とする請求項９に記載の端末。
【請求項１１】
前記プロセッサは、さらに、前記スイッチトキャパシタ変換チップの内部スイッチングトランジスタのオン抵抗、前記キャパシタ変換チップの内部スイッチングトランジスタのオン状態、または、前記スイッチトキャパシタ変換チップにおける充電キャパシタの充電時間に基づいて、前記無線充電受信装置の受信チップの出力電圧を降下させるように制御する、
ことを特徴とする請求項１０に記載の端末。
【請求項１２】
前記プロセッサは、さらに、定電圧充電段階に入る場合、前記スイッチトキャパシタ変換チップをオン状態になるように制御するための第２の制御命令を出力し、
前記スイッチトキャパシタ変換チップは、さらに、前記第２の制御命令に従ってオン状態にある、
ことを特徴とする請求項１０に記載の端末。
【請求項１３】
無線充電送信装置と、バッテリと、請求項１〜８のいずれかに記載の無線充電受信装置と、を含む、
ことを特徴とする充電システム。
【請求項１４】
前記充電システムは、プロセッサをさらに含み、
前記スイッチトキャパシタ変換チップは、さらに、通路電流を検出し、前記通路電流が電流閾値と第１の電流オフセット量との合計以上である場合、前記端末スイッチトキャパシタ変換チップを電流制限モードに入るように制御し、前記第１の電流オフセット量は、ゼロ以上であり、且つ前記電流閾値より小さく、
前記プロセッサは、現在の所望の通路電流に基づいて、前記電流閾値を調整するための第１の制御命令を出力し、
前記スイッチトキャパシタ変換チップは、さらに、前記第１の制御命令に従って前記電流閾値を調整する、
ことを特徴とする請求項１３に記載の充電システム。
【請求項１５】
前記プロセッサは、さらに、前記スイッチトキャパシタ変換チップの内部スイッチングトランジスタのオン抵抗、前記キャパシタ変換チップの内部スイッチングトランジスタのオン状態、または、前記スイッチトキャパシタ変換チップにおける充電キャパシタの充電時間に基づいて、前記無線充電受信装置の受信チップの出力電圧を降下させるように制御する、
ことを特徴とする請求項１４に記載の充電システム。
【請求項１６】
前記プロセッサは、さらに、定電圧充電段階に入る場合、前記スイッチトキャパシタ変換チップをオン状態になるように制御するための第２の制御命令を出力し、
前記スイッチトキャパシタ変換チップは、さらに、前記第２の制御命令に従ってオン状態にある、
ことを特徴とする請求項１５に記載の充電システム。
【請求項１７】
前記無線充電送信装置は、充電器と、送信チップと、送信コイルと、を含み、
前記送信チップは、入力端が前記充電器にカップリング接続され、出力端が前記送信コイルにカップリング接続され、
前記送信チップは、制御プロトコルに基づいて前記充電器と通信して、前記充電器によって出力される直流電源の電圧を制御し、前記直流電源を交流電源に変換し、
前記送信コイルは、前記交流電源を交番磁界に変換する、
ことを特徴とする請求項１３に記載の充電システム。
【手続補正２】
【補正対象書類名】明細書
【補正対象項目名】全文
【補正方法】変更
【補正の内容】
【発明の詳細な説明】
【発明の名称】無線充電受信装置、充電システム及び端末
【技術分野】
【０００１】
本開示は、端末の分野に関し、特に無線充電受信装置と、充電システムと、端末とに関する。
【背景技術】
【０００２】
端末の普及に伴い、無線充電技術は、端末を充電する重要な形態となっている。
関連技術において、端末の内部に無線充電受信装置が設けられ、無線充電受信装置と無線充電送信装置との内部にいずれもコイルが設けられている。無線充電送信装置中の電流が充電コイルを流れると、電磁界が発生し、無線充電受信装置のコイルが電磁界に近づくと、無線充電受信装置の内部に電流が発生し、これにより、電流と電磁界との変換によって端末を充電する。端末のバッテリの入力電圧は比較的小さく、例えば４Ｖであり、充電電力及び効率を向上させるために、無線充電送信装置の出力電圧は一般的に高く、無線充電受信装置と無線充電送信装置との内部に設けられる降圧変換回路（ＢＵＣＫ回路）によって電圧変換が完成される。
【発明の概要】
【発明が解決しようとする課題】
【０００３】
関連技術における課題を解決するために、本開示は、無線充電受信装置と、充電システムと、端末とを提供する。
【課題を解決するための手段】
【０００４】
本開示の実施例の第１の形態によれば、無線充電受信装置が提供され、前記無線充電受信装置は、受信コイルと、受信チップと、スイッチトキャパシタ変換チップと、を含み、受信コイルは、無線充電送信装置の送信コイルの交番磁界にカップリングされて交流電源を取得し、受信チップの入力端が受信コイルにカップリング接続され、受信チップの出力端がスイッチトキャパシタ変換チップの入力端にカップリング接続されて、交流電源を第１の直流電源に変換し、スイッチトキャパシタ変換チップは、出力端がバッテリにカップリング接続されて、第１の直流電源に基づいて第２の直流電源を出力し、第２の直流電源に基づいてバッテリを充電し、第２の直流電源の電圧は第１の直流電源の電圧より低く、また第２の直流電源の電流は第１の直流電源の電流より大きい。
【０００５】
実現可能な一設計において、スイッチトキャパシタ変換チップは、１次スイッチトキャパシタ変換チップと２次スイッチトキャパシタ変換チップとを含み、無線充電受信装置は、電源管理チップＰＭＩＣをさらに含み、１次スイッチトキャパシタ変換チップの入力端が受信チップにカップリング接続され、１次スイッチトキャパシタ変換チップは、出力端が、２次スイッチトキャパシタ変換チップの入力端及び電源管理チップの入力端にそれぞれカップリング接続され、２次スイッチトキャパシタ変換チップと電源管理チップとの出力端が、いずれもバッテリにカップリング接続され、１次スイッチトキャパシタ変換チップは、第１の直流電源に基づいて第３の直流電源を出力し、第３の直流電源の電圧は第１の直流電源の電圧より低く、且つ第３の直流電源の電流は第１の直流電源の電流より高く、２次スイッチトキャパシタ変換チップは、第３の直流電源に基づいて第２の直流電源を出力し、第２の直流電源に基づいて第１の電流でバッテリを充電し、第２の直流電源の電圧は、第３の直流電源の電圧より低く、また第２の直流電源の電流は、第３の直流電源の電流より高く、電源管理チップは、第２の直流電源に基づいて第２の電流でバッテリを充電し、第２の電流は、第１の電流より小さい。
【０００６】
実現可能な一設計において、スイッチトキャパシタ変換チップは、さらに、通路電流を検出し、通路電流が電流閾値と第１の電流オフセット量との合計以上である場合、電流制限モードに入るようにスイッチトキャパシタ変換チップを制御し、第１の電流オフセット量は、ゼロ以上であり、且つ電流閾値より小さい。
【０００７】
実現可能な一設計において、スイッチトキャパシタ変換チップが電流制限モードに入ることは、具体的に、スイッチトキャパシタ変換チップの内部スイッチングトランジスタのオン抵抗を大きくすることと、または、スイッチトキャパシタ変換チップにおいて充電キャパシタを充電する内部スイッチングトランジスタをオフにすることと、または、充電キャパシタをスイッチトキャパシタ変換チップの出力端に並列接続されて放電することと、または、スイッチトキャパシタ変換チップにおける充電キャパシタの充電時間を短縮することとのうちの少なくとも１つを含む。
【０００８】
実現可能な一設計において、スイッチトキャパシタ変換チップは、さらに、通路電流が電流閾値と第２の電流オフセット量との差より小さい場合、電流制限モードを抜けるようにスイッチトキャパシタ変換チップを制御し、第２の電流オフセット量は、ゼロ以上であり、且つ電流閾値より小さい。
【０００９】
実現可能な一設計において、通路電流は、スイッチトキャパシタ変換チップの入力電流と、スイッチトキャパシタ変換チップの出力電流と、スイッチトキャパシタ変換チップにおける内部スイッチングトランジスタに流れる電流とのうちのいずれか１つを含む。
【００１０】
実現可能な一設計において、スイッチトキャパシタ変換チップは、さらに、端末のプロセッサの第１の制御命令に従って電流閾値を調整する。
【００１１】
実現可能な一設計において、スイッチトキャパシタ変換チップは、さらに、端末のプロセッサの第２の制御命令に従ってオン状態にある。
【００１２】
本開示の実施例の第２の態様によれば、上記第１の態様のいずれかの無線充電受信装置を含む端末が提供される。
【００１３】
実現可能な一設計において、端末は、プロセッサをさらに含み、スイッチトキャパシタ変換チップは、さらに、通路電流を検出し、通路電流が電流閾値と第１の電流オフセット量との合計以上である場合、電流制限モードに入るようにスイッチトキャパシタ変換チップを制御し、第１の電流オフセット量は、ゼロ以上であり、且つ電流閾値より小さく、プロセッサは、電流閾値を調整するための第１の制御命令を現在の所望の通路電流に基づいて出力し、スイッチトキャパシタ変換チップは、さらに、第１の制御命令に従って電流閾値を調整する。
【００１４】
実現可能な一設計において、プロセッサは、スイッチトキャパシタ変換チップの内部スイッチングトランジスタのオン抵抗、キャパシタ変換チップの内部スイッチングトランジスタのオン状態、または、スイッチトキャパシタ変換チップにおける充電キャパシタの充電時間に基づいて、無線充電受信装置の受信チップの出力電圧を降下させるように制御する。
【００１５】
実現可能な一設計において、プロセッサは、さらに、定電圧充電段階に入る場合、スイッチトキャパシタ変換チップをオン状態であるように制御するための第２の制御命令を出力し、スイッチトキャパシタ変換チップは、さらに、第２の制御命令に従ってオン状態にある。
【００１６】
本開示の実施形態の第３の態様によれば、無線充電送信装置と、バッテリと、上記第１の態様のいずれかの無線充電受信装置と、を含む充電システムが提供される。
【００１７】
実現可能な一設計において、充電システムは、プロセッサをさらに含み、スイッチトキャパシタ変換チップは、さらに、通路電流を検出し、通路電流が電流閾値と第１の電流オフセット量との合計以上である場合、電流制限モードに入るようにスイッチトキャパシタ変換チップを制御し、第１の電流オフセット量は、０以上であり、且つ電流閾値より小さく、プロセッサは、電流閾値を調整するための第１の制御命令を現在の所望の通路電流に基づいて出力し、スイッチトキャパシタ変換チップは、さらに、第１の制御命令に従って電流閾値を調整する。
【００１８】
実現可能な一設計において、プロセッサは、スイッチトキャパシタ変換チップの内部スイッチングトランジスタのオン抵抗、キャパシタ変換チップの内部スイッチングトランジスタのオン状態、または、スイッチトキャパシタ変換チップにおける充電キャパシタの充電時間に基づいて、無線充電受信装置の受信チップの出力電圧を降下させるように制御する。
【００１９】
実現可能な一設計において、プロセッサは、さらに、定電圧充電段階に入る場合、スイッチトキャパシタ変換チップをオン状態であるように制御するための第２の制御命令を出力し、スイッチトキャパシタ変換チップは、さらに、第２の制御命令に従ってオン状態にある。
【００２０】
実現可能な一設計において、無線充電送信装置は、充電器と、送信チップと、送信コイルと、を含み、送信チップは、入力端が充電器にカップリング接続され、出力端が送信コイルにカップリング接続され、送信チップは、制御プロトコルに基づいて充電器と通信して、充電器によって出力される直流電源の電圧を制御し、直流電源を交流電源に変換し、送信コイルは、交流電源を交番磁界に変換する。
【００２１】
本開示によって提供される無線充電受信装置と、充電システムと、端末とは、送信コイルが無線充電送信装置の交番磁界にカップリングすることによって交流電源を取得し、受信チップは、当該交流電源を第１の直流電源に変換し、スイッチトキャパシタ変換チップは、第１の直流電源に基づいて第２の直流電源を出力し、第２の直流電源に基づいてバッテリを充電し、第２の直流電源の電圧は、第１の直流電源の電圧より低く、また第２の直流電源の電流は、第１の直流電源の電流より大きく、これにより、変換効率が極めて高いスイッチトキャパシタ変換チップの使用が実現され、充電電力及び充電効率を向上させる。それに、無線充電送信装置の出力電圧が高いほど、充電効率の向上が顕著になる。
【００２２】
以上の一般的な説明及び以下の詳細な説明は、単に例示及び解釈するためのものであり、本開示を限定するものではないと理解されるべきである。
【図面の簡単な説明】
【００２３】
ここの図面は、本明細書に組み込まれて本明細書の一部を構成し、本開示に適する実施例を示しており、明細書と共に、本開示の原理を説明するために用いられる。
【図１】例示的な一実施例に係る無線充電受信装置のブロック図である。
【図２Ａ】例示的な一実施例に係るスイッチトキャパシタ変換チップの変換プロセスの概略図である。
【図２Ｂ】例示的な一実施例に係るスイッチトキャパシタ変換チップの変換プロセスの概略図である。
【図３】別の例示的な実施例に係る無線充電受信装置のブロック図である。
【図４】さらに別の例示的な実施例に係る無線充電受信装置のブロック図である。
【図５Ａ】例示的な一実施例に係る波形図である。
【図５Ｂ】例示的な一実施例に係る波形図である。
【図６】例示的な一実施例に係る無線充電受信装置の概略図である。
【図７】例示的な一実施例に係る無線充電受信装置の概略図である。
【図８】例示的な一実施例に係る端末８００のブロック図である。
【図９】例示的一実施形態による、バッテリ充電の概略図である。
【図１０】例示的な一実施例に係る充電システムの概略図である。
【発明を実施するための形態】
【００２４】
ここで例示的な実施例を詳細に説明し、その例が図面に示される。以下の説明が図面に係る場合、他の示しがない限り、異なる図面における同一の符号が、同一又は類似の要素を示す。以下の例示的な実施例に記載される実施形態は、本出願と一致する全ての実施形態を表すものではない。むしろ、それらは、単に特許請求の範囲に詳述されている、本開示の一部の態様と一致する装置及び方法の例である。
【００２５】
図１は、本発明の一実施例に係る無線充電受信装置のブロック図である。図１に示すように、本実施例の無線充電受信装置１０は、受信コイル１１と、受信チップ１２と、スイッチトキャパシタ変換チップ１３と、を含む。受信コイル１１の入力端が、無線充電送信装置の送信コイルの交番磁界にカップリングされて交流電源を取得する。受信チップ１２の入力端が受信コイル１１にカップリング接続され、受信チップ１２の出力端がスイッチトキャパシタ変換チップ１３の入力端にカップリング接続されて、交流電源を第１の直流電源に変換する。スイッチトキャパシタ変換チップ１３の出力端が、バッテリにカップリング接続されて、第１の直流電源に基づいて第２の直流電源を出力し、第２の直流電源に基づいてバッテリを充電する。第２の直流電源の電圧は、第１の直流電源の電圧より低く、また第２の直流電源の電流は、第１の直流電源の電流より大きい。
【００２６】
具体的には、受電コイル１１は、無線充電送信装置の送電コイルの交番磁界にカップリングされて、交流電源を取得し、受信チップ１２は、当該交流電源を第１の直流電源に変換し、スイッチトキャパシタ変換チップ１３は、第１の直流電源に基づいて第２の直流電源を出力し、第２の直流電源に基づいてバッテリを充電し、第２の直流電源の電圧は、第１の直流電源の電圧より低く、また第２の直流電源の電流は、第１の直流電源の電流より高い。
【００２７】
ここで、カップリング接続は、具体的には、直接接続と間接接続とを含むことができる。
ここで、コイル１１は、具体的に、交番磁界にカップリングされて交流電源を取得することができる任意のタイプのコイルであってもよい。
【００２８】
ここで、受信チップ１２は、具体的に、交流電源を整流することにより、直流電源を取得することができる任意のチップであってもよい。
【００２９】
ここで、スイッチトキャパシタ変換チップ１３は、第１の直流電源に基づいて第２の直流電源を出力する。すなわち、スイッチトキャパシタ変換チップは、受信チップによって出力される第１の直流電源の電圧を降下させるとともに、第１の直流電源の電流を上昇させる。この場合、スイッチトキャパシタ変換チップが作動状態にあると考えてもよい。一般に、スイッチトキャパシタ変換チップを、スイッチトキャパシタ変換チップの外部ピン構成によってオン状態またはオープン状態にすることができる。さらに、作動状態にあるようにスイッチトキャパシタ変換チップを電源管理チップ（Ｐｏｗｅｒ  Ｍａｎａｇｅｍｅｎｔ  Ｉｎｔｅｇｒａｔｅｄ  Ｃｉｒｃｕｉｔ，ＰＭＩＣ）、プロセッサ、またはシングルチップマイクロコンピュータなどの他のチップによって制御することができる。作動状態にあるようにスイッチトキャパシタ変換チップを他のチップによって制御する具体的な形態について、本開示は限定せず、例えば、動作状態にあるようにスイッチトキャパシタ変換チップを他のチップによって制御するための命令をＩ2Ｃプロトコルを介してスイッチトキャパシタ変換チップに送信することができる。
【００３０】
ここで、スイッチトキャパシタ変換チップ１３は、コンデンサの充放電をスイッチによって制御することにより、電圧降下及び電流上昇を実現するチップである。選択可能に、スイッチトキャパシタ変換チップは１／ｎスイッチトキャパシタ変換チップであってもよく、ｎは、１.５、２、または３などであってもよい。
【００３１】
ここで、スイッチトキャパシタ変換チップ１３の変換プロセスは、第１段階Φ１と第２段階Φ２との２段階に分けることができる。第１段階Φ１では、図２Ａに示すように、内部スイッチングトランジスタＳ１、Ｓ３、Ｓ５、及びＳ７がオンになり、キャパシタＣＦ１が充電され、キャパシタＣＦ２が放電され、電流の流れる方向は、図２Ａの矢印のようになる。第１段階Φ２では、図２Ｂに示すように、内部スイッチングトランジスタＳ２、Ｓ４、Ｓ６及びＳ８がオンとなり、キャパシタＣＦ１が放電し、キャパシタＣＦ２が充電され、電流の流れる方向は図２Ｂの矢印のようになる。このようにオン・オフを繰り返すことにより、ＶＯＵＴ=１／ｎＶＩＮ、ＩＯＵＴ= ｎ *ＩＩＮの出力を実現することができる。なお、図２Ａ及び図２Ｂにおいて、Ｃ１Ｐ、Ｃ１Ｎ、ＧＮＤ、Ｃ２Ｐ、Ｃ２Ｎ、ＶＯＵＴ及びＶＩＮは、いずれもＰＩＮピンであり、ＣＢはコンデンサである。
【００３２】
なお、スイッチトキャパシタ変換チップ１３の変換効率は、極めて高く、９８％に達することができるが、ＢＵＣＫ回路の変換効率は低く、入力電圧と出力電圧との差が大きく異なる場合は、ＢＵＣＫ回路の発熱量が大きく、変換効率が低くなる。そのため、スイッチトキャパシタ変換チップにより電圧降下・電流上昇を実現することは、ＢＵＣＫ回路によって電圧降下を実現することにより、充電効率を向上させることができる。また、大電力の充電を実現するために、無線充電送信装置の出力電圧とバッテリの入力電圧とがさらに大きく異なるため、バック回路の効率がさらに低く、大電力充電場合にスイッチトキャパシタ変換チップの充電効率の向上効果がより顕著となる。
【００３３】
本実施形態に係る無線充電受信装置は、送信コイルによって無線充電送信装置の送信コイルの交番磁界にカップリングされ、交流電源を取得し、受信チップは、当該交流電源を第１の直流電源に変換し、スイッチトキャパシタ変換チップは、第１の直流電源に基づいて第２の直流電源を出力し、第２の直流電源に基づいてバッテリを充電し、第２の直流電源の電圧は、第１の直流電源の電圧より低く、また第２の直流電源の電流は、第１の直流電源の電流より大きく、これにより、変換効率が極めて高いスイッチトキャパシタ変換チップの使用が実現され、充電電力及び充電効率を向上させる。それに、無線充電送信装置の出力電圧が高いほど、充電効率の向上が顕著になる。
【００３４】
図３は、本発明の別の例示的な実施例に係る無線充電受信装置のブロック図である。図３に示すように、図１に示す実施例に基づいて、スイッチトキャパシタ変換チップ１３は、１次スイッチトキャパシタ変換チップ１３１と、２次スイッチトキャパシタ変換チップ１３２とを含む。無線充電受信装置は、電源管理チップＰＭＩＣ１４、例えば、ＢＵＣＫ回路をさらに含む。１次スイッチトキャパシタ変換チップ１３１の入力端が受信チップ１２にカップリング接続され、１次スイッチトキャパシタ変換チップ１３１の出力端が２次スイッチトキャパシタ変換チップ１３２及びＰＭＩＣ１４の入力端にそれぞれカップリング接続される。２次スイッチトキャパシタ変換チップ１３２及びＰＭＩＣ１４の出力端は、いずれもバッテリにカップリング接続される。１次スイッチトキャパシタ変換チップ１３１は、第３の直流電源に基づいて第２の直流電源を出力し、第２の直流電源に基づいて第１の直流でバッテリを充電する。第２の直流電源の電圧は、第３の直流電源の電圧より低く、また第２の直流電源の電流は、第３の直流電源の電流より高い（すなわち、受信チップ１２によって出力される第１の直流電源の電圧を降下させ、第１の直流電源の電流を上昇させてから、バッテリを充電する）。キャパシタ変換チップ１３２は、第３の直流電源に基づいて第２の直流電源を出力し、第２の直流電源に基づいて第１の電流でバッテリを充電し、第２の直流電源の電圧は、第３の直流電源の電圧より低く、また第２の直流電源の電流は、第３の直流電源の電流より高い（すなわち、１次スイッチトキャパシタ変換チップ１３１によって出力される第３の直流電源の電圧を降下させ、第３の直流電源の電流を上昇させてから、バッテリを充電する）。ＰＭＩＣ１４は、第２の直流電源に基づいて第２の電流でバッテリを充電し、第２の電流は、第１の電流より小さい。ここで、第１の電流でバッテリを充電することは、定電流充電と理解されてもよく、第２の電流でバッテリを充電することは、定電圧充電と理解されてもよい。
【００３５】
具体的には、大電力充電が必要な場合は、ＰＭＩＣ１４を作動せず、２次スイッチトキャパシタ変換チップ１３２を作動させ、２次スイッチトキャパシタ変換チップ１３２によって大電力充電が実現される。小電力充電が必要な場合は、ＰＭＩＣ１４を作動させ、２次スイッチトキャパシタ変換チップ１３２を作動せず、ＰＭＩＣ１４によって小電力充電が実現される。選択可能に、ＰＭＩＣ及び２次スイッチトキャパシタ変換チップ１３２を作動するようにまたは動作しないように端末のプロセッサによって制御することができる。具体的には、１次スイッチトキャパシタ変換チップ＋２次スイッチトキャパシタ変換チップによって定電流充電段階を実現することができ、１次スイッチトキャパシタ変換チップ＋ＰＭＩＣによって定電圧充電段階を実現することができる。ここでは、ＰＭＩＣを充電チップとして使用することができる。なお、５Ｗ未満などの小電力で充電する場合、スイッチトキャパシタ変換チップをオン状態にし、例えば１次スイッチトキャパシタ変換チップをオン状態にし、２次スイッチトキャパシタ変換チップをオープン状態にすることができる。
【００３６】
図４に示すように、無線充電受信装置は、バッテリを充電することに加えて、端末のハードウェア及びソフトウェアシステムに電力を供給することができる。端末が無線充電受信装置によってバッテリを充電するとき、ハードウェア及びソフトウェアシステムの負荷ｄｌは、通常変動して、ＩOUTが突然にΔＩ変化することを引き起こす場合があり、それによってＩRECの変化を引き起こしてしまい（例えば、２段のスイッチトキャパシタ変換チップを含み、且つ各段のスイッチトキャパシタ変換チップが１／２スイッチトキャパシタ変換チップである場合、ＩRECの変化は１／４ΔＩであり）、ＩRECが大きく変化すると、無線充電システムの通信に影響を及ぼす問題、例えば、無線充電システムの通信中断を引き起こす可能性がある。例えば、図５Ａに示すように、５１はＩOUTの波形を表し、５２は、ＩＯＵＴの変動によるＶRECの変動の波形を表す。
【００３７】
また、図５Ｂに示すように、無線充電を行う場合、無線充電送信装置における送信チップは、無線充電受信装置における受信チップとリアルタイムで通信する必要があり、ＶRECに振幅が大きいリップルを重畳し、これによって電流ＩOUTが通信に伴って頻繁に変動し、過充電の問題を引き起こす可能性がある。例えば、ＶRECが４００ｍＶ近くに上昇すると、２段の１／２スイッチトキャパシタ変換チップを経由して、出力ＶOUTのリップルは４００ｍＶになり、バッテリの内部抵抗が１００ｍオームの場合、ＩOUTの瞬時変動は１アンペア（Ａ）である。
【００３８】
ハードウェア及びソフトウェアシステムの負荷の変動及びＶRECの変動による上記の問題は、通路電流の変化で表すことができることがわかるので、上記の２つの問題を解決して充電プロセスの安定性を改善するために、選択可能に、スイッチトキャパシタ変換チップ１３は、さらに、通路電流を検出し、通路電流が電流閾値と第１の電流オフセット量との合計以上である場合、電流制限モードに入るようにスイッチトキャパシタ変換チップ１３を制御し、第１の電流オフセット量は、ゼロ以上であり、且つ電流閾値より小さい。ここで、電流制限モードとは、スイッチトキャパシタ変換チップの電流を制限することであり、具体的には、スイッチトキャパシタ変換チップの入力電流、出力電流、及び／または内部スイッチングトランジスタの電流を制限することができる。スイッチトキャパシタは、電流制限モードに入ることにより、通路電流が小さくなり、通路電流の急激な変化という上記の問題が回避される。
【００３９】
具体的には、通路電流が電流閾値と第１の電流オフセット量との合計以上である場合、通路電流が異常であることを表し、無線充電システムの通信に影響を及ぼしたり、過充電を引き起こしたりする可能性がある。通路電流が電流閾値と第１の電流オフセット量との差より小さい場合、通路電流が正常であることを表し、無線充電システムの通信に影響を及ぼしたり、過充電を引き起こしたりすることはない。
【００４０】
選択可能に、通路電流は、スイッチトキャパシタ変換チップ１３の入力電流と、スイッチトキャパシタ変換チップ１３の出力電流と、スイッチトキャパシタ変換チップ１３における内部スイッチングトランジスタに流れる電流とのうちのいずれか１つを含むことができる。
【００４１】
選択可能に、スイッチトキャパシタ変換チップが１次スイッチトキャパシタ変換チップと２次スイッチトキャパシタ変換チップとを含む場合、１次スイッチトキャパシタ変換チップと２次スイッチトキャパシタ変換チップとのいずれか一方によって通路電流を検出し、通路電流が電流閾値と第１の電流オフセット量との合計以上である場合、電流制限モードに入るように自体を制御する。
【００４２】
さらに選択可能に、１次スイッチトキャパシタ変換チップによって通路電流を検出する場合、通路電流入力は、１次スイッチトキャパシタ変換チップ１３１の入力電流（ＩREC）と、１次スイッチトキャパシタ変換チップ１３１の出力電流（ＩBUS）と、２次スイッチトキャパシタ変換チップ１３２とＰＭＩＣとが並列接続することによって出力される主回路電流ＩOUTと、１次スイッチトキャパシタ変換チップ１３１における内部スイッチングトランジスタに流れる電流とのうちのいずれか１つを含むことができる。２次スイッチトキャパシタ変換チップによって通路電流を検出する場合、通路電流入力は、１次スイッチトキャパシタ変換チップ１３１の入力電流と、１次スイッチトキャパシタ変換チップ１３１の出力電流と、２次スイッチトキャパシタ変換チップ１３２とＰＭＩＣとが並列接続することによって出力される電流ＩOUTと、２次スイッチトキャパシタ変換チップ１３２の内部スイッチングトランジスタに流れる電流とのうちのいずれか１つを含むことができる。
【００４３】
選択可能に、スイッチトキャパシタ変換チップ１３１は、通路電流が電流閾値と第２の電流オフセット量との差より小さい場合、電流制限モードを抜けるように当該スイッチトキャパシタ変換チップを制御し、第２の電流オフセット量は、ゼロ以上であり、且つ電流の閾値より小さい。なお、ここの電流制限モードを抜けることは、上記の電流制限モードに入ることに対応する。
【００４４】
選択可能に、第１の電流オフセット量は、第２の電流オフセット量と等しくてもよい。第１の電流オフセット量及び第２の電流オフセット量、ならびに第１の電流オフセット量及び第２の電流オフセット量が両方ともゼロより大きいことによって、電流閾値の箇所で電流制限モードに入ることと電流制限モードを抜けることとの切り替えを繰り返すことを回避することができる。
【００４５】
選択可能に、スイッチトキャパシタ変換チップ１３は、スイッチトキャパシタ変換チップの内部スイッチングトランジスタのオン抵抗を大きくすることによって電流制限モードに入ることができる。選択可能に、充電効率を改善するために、スイッチトキャパシタ変換チップの作動時に、内部スイッチングトランジスタのオン抵抗は、通常、最小値であり、通路電流が電流閾値と第１の電流オフセット量との合計以上である場合、スイッチトキャパシタ変換チップは、直ちに各内部スイッチングトランジスタのオン抵抗を大きくして電流制限モードに入り、それによって通路電流が小さくなる。さらに、通路電流が電流閾値と第２の電流オフセット量との差より小さい場合、スイッチトキャパシタ変換チップは、直ちに各内部スイッチングトランジスタのオン抵抗を最小値に小さくして電流制限モードを抜け、それによって通路電流が大きくなる。例えば、ＩRECの電流閾値を１.１Ａにすることができ、ハードウェア及びソフトウェアのシステム負荷（またはＶREC）が変動することによってＩRECが１.１Ａ以上になると、スイッチトキャパシタチップは、数スイッチングサイクル以内に直ちに応答して電流制限モードに入って、各内部スイッチングトランジスタのオン抵抗を低くし、その応答時間は、一般に数十マイクロ秒以内である。ソフトウェア及びハードウェアのシステム負荷（またはＶREC）の変動がなくなると、スイッチトキャパシタ変換チップは、電流制限モードを抜け、その内部スイッチングトランジスタのオン抵抗が最小値に戻る。
【００４６】
選択可能に、内部スイッチングトランジスタを、金属−酸化物半導体電界効果トランジスタ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ，ＭＯＳＦＥＴ）とすることができる。
【００４７】
なお、スイッチトキャパシタ変換チップの内部スイッチングトランジスタのオン抵抗の調整範囲について、本開示は限定しない。選択可能に、一定の範囲であってもよいし、通路電流と電流閾値との差に基づいて調整範囲を決定してもよい。
【００４８】
選択可能に、スイッチトキャパシタ変換チップ１３は、スイッチトキャパシタ変換チップにおいて充電キャパシタを充電する内部スイッチングトランジスタをオフにするか、または充電キャパシタをスイッチトキャパシタ変換チップの出力端に並列接続されて放電することによって、電流制限モードに入ることができる。ここで、充電キャパシタは、具体的には、図２Ａ及び図２ＢにおけるＣＦ１及びＣＦ２であってもよい。第１段階Φ１において、スイッチトキャパシタ変換チップにおいて充電キャパシタを充電する内部スイッチングトランジスタをオフにすることは、具体的には、Ｓ１およびＳ３をオフにすることであってもよい。充電キャパシタをスイッチトキャパシタ変換チップの出力端に並列接続されることは、具体的には、Ｓ１およびＳ３をオフにするとともに、Ｓ６とＳ８をオンにすることであってよい。第２段階Φ２において、スイッチトキャパシタ変換チップにおいて充電キャパシタを充電する内部スイッチングトランジスタをオフにすることは、具体的には、Ｓ２およびＳ４をオフにすることであってもよく、充電キャパシタをスイッチトキャパシタ変換チップの出力端に並列接続されることは、具体的に、Ｓ２およびＳ４をオフにするとともに、Ｓ５とＳ７をオンにすることであってよい。具体的には、通路電流が電流閾値と第１の電流オフセット量との合計以上である場合、スイッチトキャパシタ変換チップは、スイッチトキャパシタ変換チップにおいて充電キャパシタを充電する内部スイッチングトランジスタを直ちにオフにするか、または充電キャパシタをスイッチトキャパシタ変換チップの出力端に並列接続されて放電することによって電流制限モードに入り、これによって通路電流が小さくなる。さらに、通路電流が電流閾値と第２の電流オフセット量との差より小さい場合、スイッチトキャパシタ変換チップは、通常のキャパシタ充放電のスイッチングプロセスに戻り（例えば、図２Ａ及び図２ＢにおけるΦ１及びΦ２の２つの段階は、内部スイッチングトランジスタのスイッチング繰り返しプロセスにそれぞれ対応する）、引き続き電流制限モードを抜け、それによって通路電流が大きくなる。
【００４９】
選択可能に、スイッチトキャパシタ変換チップの内部スイッチングトランジスタは、クロックによって一定の周波数及び一定の論理タイミングに従ってオン・オフにされるので、スイッチトキャパシタ変換チップに対してスキップサイクル制御を実行することによって、スイッチキャパシタ変換チップにおける、充電キャパシタを充電する内部スイッチングトランジスタをオフにすることができ、または充電キャパシタをスイッチトキャパシタ変換チップの出力端に並列接続されて放電することができる。具体的には、図６に示すように、ＩOUTが破線で示す電流閾値を超えると、対応するクロック制御サイクル（すなわち、破線で示すクロックサイクル）において、充電キャパシタを充電する内部スイッチングトランジスタをオフにするか、または充電キャパシタをスイッチトキャパシタ変換チップの出力端に並列接続されて放電する。さらに、ＩOUTが破線で示す電流閾値を超えない場合、対応するクロック制御サイクルにおいて、スイッチトキャパシタ変換チップは、通常のコンデンサの充放電のスイッチングプロセスに戻る。なお、図６では、第１の電流オフセット量及び第２の電流オフセット量が両方ともゼロであることを例とする。
【００５０】
選択可能に、スイッチトキャパシタ変換チップ１３は、スイッチトキャパシタ変換チップにおける充電キャパシタの充電時間を短縮することによって電流制限モードに入ることができる。ここで、充電キャパシタは、具体的には、図２Ａ及び図２ＢにおけるＣＦ１及びＣＦ２であってもよく、スイッチトキャパシタ変換チップにおける充電キャパシタの充電時間を短縮することは、具体的には、ＣＦ１及びＣＦ２の充電時間を短縮することであってもよい。具体的には、通路電流が電流閾値と第１の電流オフセット量との合計以上である場合、スイッチトキャパシタ変換チップは、スイッチトキャパシタ変換チップにおける充電キャパシタの充電時間を直ちに短縮して電流制限モードに入り、これによって通路電流が小さくなる。さらに、通路電流が電流閾値と第２の電流オフセット量との差より小さい場合、スイッチトキャパシタ変換チップは、通常の充電キャパシタの充電時間に戻って電流制限モードを抜け、これによって通路電流が大きくなる。
【００５１】
選択可能に、スイッチトキャパシタ変換チップの内部スイッチングトランジスタが一定の周波数に従って一定の論理タイミングによってオン・オフにされるので、スイッチキャパシタ変換チップは、クロックのデューティ比を小さくすることにより、スイッチキャパシタ変換チップにおける充電キャパシタの充電時間の短縮を実現することができる。具体的には、図７に示すように、ＩOUTが破線で示す電流閾値を超えると、クロック制御サイクルに対応するクロックデューティ比を小さくし、すなわち、充電時間を短くし、放電時間を長くする。さらに、ＩOUTが破線で示す電流閾値を超えない場合、クロック制御サイクルに対応するクロックのデューティを戻す。なお、図７では、第１の電流オフセット量及び第２の電流オフセット量が両方ともゼロであることを例とする。
【００５２】
選択可能に、スイッチトキャパシタ変換チップ１３は、端末のプロセッサの第１の制御命令に従って電流閾値を調整する。具体的には、バッテリの異なる充電段階において、所望の通路電流が異なってもよく、より正確な制御のために、電流閾値をそれに応じて調整することができる。具体的には、所望の通路電流が大きいほど電流閾値を大きくすることができ、所望の通路電流が小さいほど電流閾値を小さくすることができる。
【００５３】
選択可能的に、スイッチトキャパシタ変換チップ１３は、さらに、端末のプロセッサの第２の制御命令に従ってオン状態にあってもよい。具体的には、定電圧充電状態にある場合、電流を大きくする必要がないので、スイッチトキャパシタ変換チップをオン状態にあるように制御することができる。図２Ａ及び図２Ｂに示す１／２スイッチトキャパシタ変換チップについて、スイッチトキャパシタ変換チップがオン状態であることは、具体的には、Ｓ１、Ｓ２、Ｓ５及びＳ６がいずれもオンであり、且つＳ３、Ｓ４、Ｓ７及びＳ８がいずれもオフであることであってよい。スイッチトキャパシタ変換チップがオン状態にある場合、ＶOUTはＶINと等しくなってもよく、ＩOUTはIINと等しくなってもよい。なお、スイッチトキャパシタ変換チップ１３が１次スイッチトキャパシタ変換チップ１３１と２次スイッチトキャパシタ変換チップ１３２とを含む場合、具体的には、１次スイッチトキャパシタ変換チップ１３１をオン状態にあるように制御することができる。
【００５４】
また、上述した、スイッチトキャパシタ変換チップは、充電通路の出力電流を検出し、充電通路の出力電流に基づいて電流制限モードに入ることにより、高い応答速度を実現することができる。
【００５５】
本実施例に係る無線充電受信装置では、１次スイッチトキャパシタ変換チップは、第１の直流電源に基づいて第３の直流電源を出力し、第３の直流電源の電圧は第１の直流電源の電圧より低く、且つ第３の直流電源の電流は第１の直流電源の電流より大きく、第２段のスイッチトキャパシタ変換チップは、第３の直流電源に基づいて第２の直流電源を出力し、第２の直流電源に基づいて第１の電流でバッテリを充電し、第２の直流電源の電圧は第３の直流電源の電圧より低く、また第２の直流電源の電流は第３の直流電源の電流より大きく、ＰＭＩＣは、第２の直流電源に基づいて第２の電流でバッテリを充電し、第２の電流は第１の電流より小さい。大電力充電の充電効率を向上させることに基づいて、小電力充電をさらに実現することができる。
【００５６】
図８は、例示的な一実施例に係る端末８００のブロック図である。例えば、端末８００は、携帯電話、コンピュータ、デジタル放送機器、メッセージングデバイス、ゲームコンソール、タブレットデバイス、医療機器、フィットネス機器、パーソナルデジタルアシスタントなどであってもよい。
【００５７】
図８を参照すると、端末８００は、プロセッサユニット８０２と、メモリ８０４と、電源ユニット８０６と、マルチメディアユニット８０８と、オーディオユニット８１０と、入力／出力（Ｉ／Ｏ）インターフェース８１２と、センサユニット８１４と、通信ユニット８１６との１つ又は複数を含むことができる。
【００５８】
プロセッサユニット８０２は、通常、表示、電話呼び出し、データ通信、カメラ動作、および記憶動作に関連する動作などの端末８００の全体的な動作を制御する。プロセッサユニット８０２は、上記方法のステップの全部または一部を実行するための命令を実行する１つまたは複数のプロセッサ８２０を含むことができる。さらに、プロセッサユニット８０２は、プロセッサユニット８０２と他のユニットとのインタラクションを容易にするために、１つまたは複数のモジュールを含むことができる。例えば、プロセッサユニット８０２は、マルチメディアユニット８０８とプロセッサユニット８０２とのインタラクションを容易にするために、マルチメディアモジュールを含むことができる。
【００５９】
メモリ８０４は、端末８００での動作をサポートするために様々なタイプのデータを記憶するように構成される。これらのデータの例は、端末８００上で動作する任意のアプリケーション又は方法の命令、連絡先データ、電話帳データ、メッセージ、画像、ビデオなどを含む。メモリ８０４は、スタティック・ランダム・アクセス・メモリ（ＳＲＡＭ）、電気的消去可能プログラマブル読み出し専用メモリ（ＥＥＰＲＯＭ）、消去可能プログラマブル読み出し専用メモリ（ＥＥＰＲＯＭ）、プログラマブル読み出し専用メモリ（ＰＲＯＭ）、読み出し専用メモリ（ＲＯＭ）、磁気メモリ、フラッシュメモリ、ディスク又はＣＤのような任意のタイプの揮発性又は不揮発性記憶装置、又はそれらの組み合わせによって実現することができる。
【００６０】
電源ユニット８０６は、端末８００の様々なユニットに電力を供給する。電源ユニット８０６は、電源管理システムと、１つ又は複数の電源と、端末８００の電力の生成、管理、及び分配に関連する他のユニットとを含むことができる。
【００６１】
マルチメディアユニット８０８は、端末８００とユーザとの間に位置し且つ出力インタフェースを提供するスクリーンを含む。一部の実施例では、スクリーンは、液晶ディスプレイ（ＬＣＤ）とタッチパネル（ＴＰ）とを含むことができる。スクリーンがタッチパネルを含む場合、スクリーンは、ユーザからの入力信号を受信するためのタッチスクリーンとして実現することができる。タッチパネルは、タッチ、スライド及びタッチパネル上のジェスチャを感知するための１つまたは複数のタッチセンサを含む。当該タッチセンサは、タッチ又はスライド動作の境界を感知するだけでなく、当該タッチ又はスライド動作に関連する持続時間及び圧力も検出することができる。一部の実施例では、マルチメディアユニット８０８は、フロントカメラおよび/またはリアカメラを含む。端末８００が撮影モード又はビデオモードのような動作モードにあるとき、フロントカメラおよび/またはリアカメラは、外部のマルチメディアデータを受信することができる。各フロントカメラ及びリアカメラは、固定光学レンズシステムであってもよいし、焦点距離及び光学ズーム能力を有してもよい。
【００６２】
オーディオユニット８１０は、オーディオ信号を出力および/または入力するように構成される。例えば、オーディオユニット８１０は、１つのマイクロフォン（ＭＩＣ）を含み、端末８００が、呼び出しモード、記憶モード、及び音声認識モードなどの動作モードにあるとき、マイクロフォンが外部オーディオ信号を受信するように構成される。受信されたオーディオ信号は、メモリ８０４にさらに記憶されてもよいし、又は通信ユニット８１６を介して送信されてもよい。一部の実施例では、オーディオユニット８１０は、オーディオ信号を出力するためのスピーカをさらに含む。
【００６３】
（Ｉ／Ｏ）インターフェース８１２は、プロセッサユニット８０２と周辺機器インターフェースモジュールとの間のインターフェースを提供し、上記周辺機器インターフェースモジュールは、キーボード、クリックホイール、ボタンなどであってもよい。これらのボタンは、ホームボタンと、音量ボタンと、開始ボタンと、ロックボタンとを含むことができるが、これらに限定されない。
【００６４】
センサユニット８１４は、各方面の状態評価を端末８００に提供するための１つ又は複数のセンサを含む。例えば、センサユニット８１４は、端末８００のオン・オフ状態、端末８００のディスプレイ及びキーパッドなどのユニットの相対的な位置決めを検出することができるとともに、センサユニット８１４は、端末８００又は端末８００の１つのユニットの位置の変化、ユーザと端末８００との接触の有無、端末８００の方位又は加速/減速、及び端末８００の温度変化を検出することもできる。センサユニット８１４は、物理的接触なしで近くの物体の存在を検出するように構成された近接センサを含むことができる。センサユニット８１４は、イメージング用途に使用するためのＣＭＯＳ又はＣＣＤイメージセンサなどの光センサを含むことができる。一部の実施例では、当該センサユニット８１４は、加速度センサ、ジャイロセンサ、磁気センサ、圧力センサ、または温度センサをさらに含むことできる。
【００６５】
通信ユニット８１６は、端末８００と他の装置との間の有線又は無線通信を容易にするように構成される。端末８００は、通信規格に基づいた無線ネットワーク、例えば、ＷＩＦＩ、２Ｇ又は３Ｇ、又はそれらの組み合わせにアクセスすることができる。例示的な一実施例では、通信ユニット８１６は、ブロードキャストチャネルを介して外部ブロードキャスト管理システムからのブロードキャスト信号又はブロードキャスト関連情報を受信する。例示的な一実施例では、当該通信ユニット８１６は、近距離通信を促進する近距離通信（ＮＦＣ）モジュールをさらに含む。例えば、ＮＦＣモジュールは、無線周波数識別（ＲＦＩＤ）技術、赤外線データアソシエーション（ＩｒＤＡ）技術、超広帯域（ＵＷＢ）技術、ブルートゥース（登録商標）（ＢＴ）技術、及び他の技術に基づいて実現することができる。
【００６６】
例示的な実施例では、端末８００は、１つ又は複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、コントローラ、マイクロコントローラ、マイクロプロセッサ又は他の電子デバイスによって実現することができ、上記方法を実行するために使用される。
【００６７】
例示的な実施例において、命令を含む非一時的なコンピュータ読み取り可能な記憶媒体がさらに提供され、例えば、命令を含むメモリ８０４がさらに提供され、上記命令は、端末８００のプロセッサ８２０によって実行されて方法を完成する。例えば、非一時的なコンピュータ読み取り可能な記憶媒体は、ＲＯＭ、ランダムアクセスメモリ（ＲＡＭ）、ＣＤ-ＲＯＭ、カセットテープ、フロッピーディスク、及び光データ記憶装置であってもよい。
【００６８】
ここで、端末８００は、無線充電受信装置を含むことができ、当該無線充電受信装置は、受信コイルと、受信チップと、スイッチトキャパシタ変換チップと、を含み、受信コイルは、無線充電送信装置の送信コイルの交番磁界にカップリングされて交流電源を取得し、受信チップの入力端が受信コイルにカップリング接続され、受信チップの出力端がスイッチトキャパシタ変換チップの入力端にカップリング接続されて、交流電源を第１の直流電源に変換し、スイッチトキャパシタ変換チップは、出力端がバッテリにカップリング接続されて、第１の直流電源に基づいて第２の直流電源を出力し、第２の直流電源に基づいてバッテリを充電し、第２の直流電源の電圧は第１の直流電源の電圧より低く、また第２の直流電源の電流は第１の直流電源の電流より大きい。
【００６９】
実現可能な一設計において、スイッチトキャパシタ変換チップは、１次スイッチトキャパシタ変換チップと２次スイッチトキャパシタ変換チップとを含み、無線充電受信装置は、電源管理チップＰＭＩＣをさらに含み、１次スイッチトキャパシタ変換チップは、入力端が受信チップにカップリング接続され、出力端が、２次スイッチトキャパシタ変換チップの入力端及び電源管理チップの入力端にそれぞれカップリング接続され、２次スイッチトキャパシタ変換チップと電源管理チップとの出力端が、いずれもバッテリにカップリング接続され、１次スイッチトキャパシタ変換チップは、第１の直流電源に基づいて第３の直流電源を出力し、第３の直流電源の電圧は第１の直流電源の電圧より低く、且つ第３の直流電源の電流は第１の直流電源の電流より高く、２次スイッチトキャパシタ変換チップは、第３の直流電源に基づいて第２の直流電源を出力し、第２の直流電源に基づいて第１の電流でバッテリを充電し、第２の直流電源の電圧は、第３の直流電源の電圧より低く、また第２の直流電源の電流は、第３の直流電源の電流より高く、電源管理チップは、第２の直流電源に基づいて第２の電流でバッテリを充電し、第２の電流は、第１の電流より小さい。
【００７０】
実現可能な一設計において、スイッチトキャパシタ変換チップは、さらに、通路電流を検出し、通路電流が電流閾値と第１の電流オフセット量との合計以上である場合、スイッチトキャパシタ変換チップは、電流制限モードに入るように制御され、第１の電流オフセット量は、ゼロ以上であり、且つ電流閾値より小さい。
【００７１】
実現可能な一設計において、スイッチトキャパシタ変換チップが電流制限モードに入ることは、具体的に、スイッチトキャパシタ変換チップの内部スイッチングトランジスタのオン抵抗を大きくすることと、または、スイッチトキャパシタ変換チップにおいて充電キャパシタを充電する内部スイッチングトランジスタをオフにすることと、または、充電キャパシタをスイッチトキャパシタ変換チップの出力端に並列接続されて放電することと、または、スイッチトキャパシタ変換チップにおける充電キャパシタの充電時間を短縮することとのうちの少なくとも１つを含む。
【００７２】
実現可能な一設計において、スイッチトキャパシタ変換チップは、さらに、通路電流が電流閾値と第２の電流オフセット量との差より小さい場合、電流制限モードを抜けるようにスイッチトキャパシタ変換チップを制御し、第２の電流オフセット量は、ゼロ以上であり、且つ電流閾値より小さい。
【００７３】
実現可能な一設計において、通路電流は、スイッチトキャパシタ変換チップの入力電流と、スイッチトキャパシタ変換チップの出力電流と、スイッチトキャパシタ変換チップにおける内部スイッチングトランジスタに流れる電流とのうちのいずれか１つを含む。
【００７４】
実現可能な一設計において、スイッチトキャパシタ変換チップは、さらに、端末のプロセッサの第１の制御命令に従って電流閾値を調整する。
【００７５】
選択可能に、充電効率を向上させ、電力伝送状態を最適化するために、プロセッサは、通路電流（例えば、ＩREC、ＩBUS、またはＩOUT）及び電圧（ＶREC、ＶBUS、またはＶOUT）をリアルタイムで検出するとともに、無線充電送信装置及び無線充電受信装置における各モジュール（例えば、スイッチトキャパシタ変換チップ）をリアルタイムで制御して、現在の電力を最大にし、効率を最高にし、充電をさらに安定させることができる。
【００７６】
具体的には、バッテリが定電流充電段階にある場合、バッテリ電圧が徐々に上昇し、それによってバッテリに流入する電流が徐々に減少するので、この場合、プロセッサが通路電流の減少を検出した後に出力電圧を上昇させるように充電器を制御して、充電電流を最大状態に維持することができる。バッテリが定電圧充電段階に入ると、バッテリ電流は徐々に減少するので、この場合、プロセッサは、電圧出力を降下させるように充電器を制御するか、またはスイッチチップをオン状態で作動するように制御して、全体の充電効率を向上させることができる。
【００７７】
実現可能な一設計において、プロセッサは、さらに、電流閾値を調整するための第１の制御命令を現在の所望の通路電流に基づいて出力し、スイッチトキャパシタ変換チップは、さらに、第１の制御命令に従って電流閾値を調整する。
【００７８】
具体的には、図９に示すように、バッテリ充電は、通常、定電圧充電段階と定電流充電段階とに分けられ、時間帯によって、通路電流は異なる。より正確な制御を達成するために、プロセッサは、現在の所望の通路電流に基づいて電流閾値を調整することができる。
【００７９】
実現可能な一設計において、プロセッサは、さらに、定電圧充電段階に入る場合、スイッチトキャパシタ変換チップをオン状態であるように制御するための第２の制御命令を出力し、スイッチトキャパシタ変換チップは、さらに、第２の制御命令に従ってオン状態にある。具体的には、プロセッサは、スイッチキャパシタ変換チップをオン状態になるようにトリガするためのトリガ信号をスイッチトキャパシタ変換チップに送信することができ、スイッチキャパシタ変換チップは、当該トリガ信号に基づいてオン状態になることができる。
【００８０】
実現可能な一設計において、スイッチトキャパシタ変換チップが、スイッチトキャパシタの内部スイッチングトランジスタのオン抵抗を大きくすることによって電流制限モードに入る場合、プロセッサは、さらに、スイッチトキャパシタ変換チップの内部スイッチングトランジスタのオン抵抗に基づいて、受信チップの出力電圧を制御する。具体的には、プロセッサは、受信チップの出力電圧と、スイッチトキャパシタ変換チップの内部スイッチングトランジスタのオン抵抗とに基づいて、スイッチトキャパシタ変換チップの内部スイッチングトランジスタのオン抵抗が過大であるか否かを判断することができる。スイッチトキャパシタ変換チップの内部スイッチングトランジスタのオン抵抗が過大である場合、受信チップの出力電圧を降下させるように、例えば、受信チップの出力電圧を２０ｍＶ降下させるように制御することができる。さらに、受信チップの出力電圧ＶRECが低くなるので、ＩRECも低くなり、同じ充電電力を実現するために、スイッチトキャパシタ変換チップは、その内部スイッチングトランジスタのオン抵抗を低くすることができる。
【００８１】
実現可能な一設計において、スイッチトキャパシタ変換チップが、スイッチトキャパシタ変換チップにおいて充電キャパシタを充電する内部スイッチングトランジスタをオフにする形態、または、充電キャパシタをスイッチトキャパシタ変換チップの出力端に並列接続されて放電する形態で、電流制限モードに入る場合、プロセッサは、スイッチトキャパシタ変換チップの内部スイッチングトランジスタのオン状態に基づいて、無線充電受信デバイスの受信チップの出力電圧を降下させるように制御する。具体的には、プロセッサは、受信チップの出力電圧と、降下させるの内部スイッチングトランジスタのオン状態とに基づいて、スイッチトキャパシタ変換チップが電流制限モードを抜けるべきか否かを判断することができる。スイッチトキャパシタ変換チップが電流制限モードを抜けるべきである場合、受信チップの出力電圧を降下させるように、例えば、受信チップの出力電圧を２０ｍＶ降下させるように制御することができる。さらに、受信チップの出力電圧ＶRECが低くなるので、ＩRECも低くなり、同じ充電電力を実現するために、スイッチトキャパシタ変換チップは、電流制限モードを抜けることができる。
【００８２】
実現可能な一設計において、スイッチトキャパシタ変換チップが、スイッチトキャパシタ変換チップにおける充電キャパシタの充電時間を短縮する形態で電流制限モードに入る場合、プロセッサは、スイッチトキャパシタ変換チップにおける充電キャパシタの充電時間に基づいて、無線充電受信装置の受信チップの出力電圧を制御する。具体的には、プロセッサは、受信チップの出力電圧と、スイッチトキャパシタ変換チップにおける充電キャパシタの充電時間とに基づいて、スイッチトキャパシタ変換チップが電流制限モードを抜けるべきであるか否かを判断することができる。スイッチトキャパシタ変換チップが電流制限モードを抜けるべきである場合、受信チップの出力電圧を降下させるように、例えば、受信チップの出力電圧を２０ｍＶ降下させるように制御することができる。さらに、受信チップの出力電圧ＶRECが低くなるので、ＩRECも低くなり、同じ充電電力を実現するために、スイッチトキャパシタ変換チップは、電流制限モードを抜けることができる。
【００８３】
本開示は、無線充電送信装置と、バッテリと、無線充電受信装置とを含む充電システムをさらに提供する。ここで、無線充電受信装置は、受信コイルと、受信チップと、スイッチトキャパシタ変換チップと、を含み、受信コイルは、無線充電送信装置の送信コイルの交番磁界にカップリングされて交流電源を取得し、受信チップの入力端が受信コイルにカップリング接続され、受信チップの出力端がスイッチトキャパシタ変換チップの入力端にカップリング接続されて、交流電源を第１の直流電源に変換し、スイッチトキャパシタ変換チップは、出力端がバッテリにカップリング接続されて、第１の直流電源に基づいて第２の直流電源を出力し、第２の直流電源に基づいてバッテリを充電し、第２の直流電源の電圧は第１の直流電源の電圧より低く、また第２の直流電源の電流は第１の直流電源の電流より大きい。
【００８４】
実現可能な一設計において、スイッチトキャパシタ変換チップは、１次スイッチトキャパシタ変換チップと２次スイッチトキャパシタ変換チップとを含み、無線充電受信装置は、電源管理チップＰＭＩＣをさらに含み、１次スイッチトキャパシタ変換チップは、入力端が受信チップにカップリング接続され、出力端が、２次スイッチトキャパシタ変換チップの入力端及び電源管理チップの入力端にそれぞれカップリング接続され、２次スイッチトキャパシタ変換チップと電源管理チップとの出力端が、いずれもバッテリにカップリング接続され、１次スイッチトキャパシタ変換チップは、第１の直流電源に基づいて第３の直流電源を出力し、第３の直流電源の電圧は第１の直流電源の電圧より低く、且つ第３の直流電源の電流は第１の直流電源の電流より高く、２次スイッチトキャパシタ変換チップは、第３の直流電源に基づいて第２の直流電源を出力し、第２の直流電源に基づいて第１の電流でバッテリを充電し、第２の直流電源の電圧は、第３の直流電源の電圧より低く、また第２の直流電源の電流は、第３の直流電源の電流より高く、電源管理チップは、第２の直流電源に基づいて第２の電流でバッテリを充電し、第２の電流は、第１の電流より小さい。
【００８５】
実現可能な一設計において、スイッチトキャパシタ変換チップは、さらに、通路電流を検出し、通路電流が電流閾値と第１の電流オフセット量との合計以上である場合、スイッチトキャパシタ変換チップは、電流制限モードに入るように制御され、第１の電流オフセット量は、ゼロ以上であり、且つ電流閾値より小さい。
【００８６】
実現可能な一設計において、スイッチトキャパシタ変換チップが電流制限モードに入ることは、具体的に、スイッチトキャパシタ変換チップの内部スイッチングトランジスタのオン抵抗を大きくすることと、または、スイッチトキャパシタ変換チップにおいて充電キャパシタを充電する内部スイッチングトランジスタをオフにすることと、または、充電キャパシタをスイッチトキャパシタ変換チップの出力端に並列接続されて放電することと、または、スイッチトキャパシタ変換チップにおける充電キャパシタの充電時間を短縮することとのうちの少なくとも１つを含む。
【００８７】
実現可能な一設計において、スイッチトキャパシタ変換チップは、さらに、通路電流が電流閾値と第２の電流オフセット量との差より小さい場合、電流制限モードを抜けるようにスイッチトキャパシタ変換チップを制御し、第２の電流オフセット量は、ゼロ以上であり、且つ電流閾値より小さい。
【００８８】
実現可能な一設計において、通路電流は、スイッチトキャパシタ変換チップの入力電流と、スイッチトキャパシタ変換チップの出力電流と、スイッチトキャパシタ変換チップにおける内部スイッチングトランジスタに流れる電流とのうちのいずれか１つを含む。
【００８９】
実現可能な一設計において、スイッチトキャパシタ変換チップは、さらに、通路電流を検出し、通路電流が電流閾値と第１の電流オフセット量との合計以上である場合、スイッチトキャパシタ変換チップは、電流制限モードに入るように制御され、第１の電流オフセット量は、ゼロ以上であり、且つ電流閾値より小さい。
【００９０】
実現可能な一設計において、充電システムは、プロセッサとスイッチトキャパシタ変換チップとをさらに含み、前記プロセッサは、電流閾値を調整するための第１の制御命令を現在の所望の通路電流に基づいて出力し、前記スイッチトキャパシタ変換チップは、さらに、第１の制御命令に従って電流閾値を調整する。
【００９１】
実現可能な一設計において、プロセッサは、さらに、スイッチトキャパシタ変換チップの内部スイッチングトランジスタのオン抵抗、キャパシタ変換チップの内部スイッチングトランジスタのオン状態、または、スイッチトキャパシタ変換チップにおける充電キャパシタの充電時間に基づいて、無線充電受信装置の受信チップの出力電圧を降下させるように制御する。
【００９２】
実現可能な一設計において、プロセッサは、さらに、定電圧充電段階に入る場合、スイッチトキャパシタ変換チップをオン状態であるように制御するための第２の制御命令を出力し、スイッチトキャパシタ変換チップは、さらに、第２の制御命令に従ってオン状態にある。
【００９３】
図４に示す無線充電受信装置を例とし、図１０に示すように、選択可能に、当該充電システムにおける無線充電送信装置は、充電器１５と、送信チップ１６と、送信コイル１７と、を含む。送信チップ１６の入力端が充電器１５にカップリング接続され、送信チップ１６の出力端が送信コイル１７にカップリング接続され、送信チップ１６は、制御プロトコルに基づいて充電器１５と通信し、充電器１５によって出力される直流電源の電圧を制御して、直流電源を交流電源に変換し、送信コイル１７は、交流電源を交番磁界に変換する。ここで、充電器７１は、送信チップ７２に直接カップリング接続され、無線充電送信装置ではバック回路を無くしているため、バック回路による電力消費を回避することができ、充電効率がさらに向上するステップ。
【００９４】
選択可能に、制御プロトコルは、電力伝送（Ｐｏｗｅｒ  Ｄｅｌｉｖｅｒｙ，ＰＤ）、急速充電（Ｑｕｉｃｋ  Ｃｈａｒｇｅ，ＱＣ）４．０、及び超充電プロトコル（Ｓｕｐｅｒ  Ｃｈａｒｇｅ  Ｐｒｏｔｏｃｏｌ，ＳＣＰ）プロトコルであってもよい。送信チップ１６は、ＰＤ、ＱＣ４．０、ＳＣＰなどのプロトコルを介して充電器１５と直接通信し、出力電圧の調整精度は２０ｍＶに達することができ、出力電圧は３Ｖ〜２０Ｖ以上であり、バックエンドが必要とする電力を正確に調整することができる。また、送信チップの出力電圧がＢＵＣＫ回路の出力電圧より高いので、コイル上の電流を小さくすることができ、それによってコイルの発熱が低減される。
【００９５】
なお、図１０において、送信コイルと直列接続されているキャパシタと、受信コイルと直列接続されているキャパシタとは、いずれも充電電力を向上させるための共振キャパシタであってもよい。
【００９６】
一例として、充電電力を２０ワット（Ｗ）とし、スイッチトキャパシタ変換チップを１／２スイッチトキャパシタ変換チップとすると、作業プロセスは、以下のようである。
（１）送信チップは、ＰＤ／ＱＣ４．０／ＳＣＰなどのプロトコルを介して充電器と直接通信し、充電器の出力電圧ＶDCを約２０ボルト（Ｖ）調整する。
（２）送信チップは、充電器によって出力される直流電圧を交流電圧に変換して送信コイルに供給する。
（３）受信コイルが送信コイルのエネルギーにカップリング接続することにより、交流電圧を受信チップに出力し、受信コイルに流れる電流は約１アンペア（Ａ）である。
（４）受信チップは、交流電圧を整流して約１９Ｖの直流電圧ＶRECを出力し、通路電流ＩRECは約１．１Ａ、であり、すなわち出力電力は２０Ｗである。
（５）ＶRECは、１次１／２スイッチトキャパシタ変換チップによって半分降圧されて、出力ＶBUSは約９Ｖになり、通路電流ＩBUSは約２．２Ａになる。
（６）ＶBUSは、２次１／２スイッチトキャパシタ変換チップによって半分降圧されて、出力ＶOUTは約９Ｖになり、通路電流ＩOUTは約４．４Ａになる。
（７）ＶBUSは、ＰＭＩＣを介して補助電源として使用して、入力及び出力電流制限、トリクル、小電力充電などの機能を実現することができる。
【００９７】
当業者は、明細書を考慮し、ここで開示された発明を実践した後、本発明の他の実施例を容易に想到することができる。本出願は、本発明の一般的な原理に従って、本開示に開示されていない当該技術分野における周知の知識または慣用技術手段を含む、本発明のあらゆる変形、用途または適宜変更を網羅することを意図する。明細書及び実施例は例示的なものにすぎないと見なすべきであり、本願発明の本当な範囲及び精神は、請求の範囲によって示される。
【００９８】
なお、本開示は、上記説明に記載され、図面に示されている厳密な構成に限定されず、その範囲から逸脱しない限り、様々な修正及び変更を行うことができる。本開示の範囲は、添付の特許請求の範囲のみによって限定される。